(57)【要約】【課題】推薦番組を録画する機能を備え、より使い勝手に優れた放送受信装置を提供すると共に、そのための録画番組選択支援方法を提供する。【解決手段】放送番組と共に放送予定の番組情報を含む番組関連情報を受信するチューナ２０１、２０２と、ユーザの視聴操作指示とユーザの好む番組を示す嗜好情報を入力するためのリモコン３０と、リモコンからの視聴操作指示に従って、チューナで受信した放送番組を表示する大形画面の表示装置１０と、入力されたユーザ番組嗜好情報を基にして受信された番組関連情報から推薦番組を抽出する推奨番組情報生成部２１０と、放送番組を記録するための、例えば、大容量ＨＤＤからなる録画再生装置２１２を備えており、推奨番組情報生成部２１０で抽出した推薦番組の放送の映像を、大形画面の表示装置１０に表示している放送番組の一部に表示する。【選択図】図２
2007158998.tif 000002
【特許請求の範囲】
【請求項１】
放送番組と共に放送予定の番組情報を含む番組関連情報を受信する受信部と、
ユーザの視聴操作指示とユーザの好む番組を示す嗜好情報を入力するための手段と、
前記入力手段からの視聴操作指示に従って、前記受信部で受信した放送番組を表示するための表示部と、
前記入力手段から入力されたユーザ番組嗜好情報を基に、前記受信手段により受信された番組関連情報から推薦番組を抽出する手段と、
前記受信部で受信した放送番組を記録する放送番組記録部とを備えており、
前記抽出手段により抽出された推薦番組の放送の少なくとも映像を、前記表示手段上に表示している放送番組の一部に表示することを特徴とする放送受信装置。
【請求項２】
前記請求項１の装置において、前記抽出手段により抽出された推薦番組の放送の音声も前記表示手段によって出力することを特徴とする放送受信装置。
【請求項３】
前記請求項１の装置において、前記受信部は、複数のチューナを備えて構成されていることを特徴とする放送受信装置。
【請求項４】
前記請求項１の装置において、前記表示手段上に表示している放送番組と同じ時間帯で放送されている他の放送番組の映像をも含め、当該表示手段上に、推薦番組として表示することを特徴とする放送受信装置。
【請求項５】
放送番組と共に放送予定の番組情報を含む番組関連情報を受信する受信部と、
ユーザの視聴操作指示とユーザの好む番組を示す嗜好情報を入力するための手段と、
前記入力手段からの視聴操作指示に従って、前記受信部で受信した放送番組を表示する映像信号を含む信号を出力する出力部と、
前記入力手段から入力されたユーザ番組嗜好情報を基に、前記受信手段により受信された番組関連情報から推薦番組を抽出する手段と、
前記受信部で受信した放送番組を記録する放送番組記録部とを備えており、
前記抽出手段により抽出された推薦番組の放送の少なくとも映像信号を、前記出力部を介して出力することを特徴とする放送受信装置。
【請求項６】
放送番組と共に放送予定の番組情報を含む番組関連情報を受信する受信部と、
ユーザの視聴操作指示とユーザの好む番組を示す嗜好情報を入力するための手段と、
前記入力手段からの視聴操作指示に従って、前記受信部で受信した放送番組を表示するための表示部と、
前記入力手段から入力されたユーザ番組嗜好情報を基に、前記受信手段により受信された番組関連情報から推薦番組を抽出する手段と、
前記抽出手段により抽出された推薦番組の放送の少なくとも映像を、前記表示手段上に表示している放送番組の一部に表示することを特徴とする放送受信装置。
【請求項７】
受信した放送番組を録画可能な放送受信装置において、録画すべき録画番組を選択して表示する支援方法であって、
放送番組と共に放送予定の番組情報を含む番組関連情報を受信し、
入力されたユーザの好む番組を示す嗜好情報を基に、受信した番組関連情報から録画を推薦する放送番組を抽出し、
前記抽出した推薦番組の放送の少なくとも映像を、受信中の放送番組と同時に、表示手段の一部に表示することを特徴とする録画番組選択支援方法。
【請求項８】
前記請求項７に記載の方法において、前記抽出された推薦放送番組の複数の映像を、受信中の放送番組と同時に、前記表示手段の一部に表示することを特徴とする録画番組選択支援方法。
【請求項９】
前記請求項８に記載の方法において、前記抽出された推薦放送番組の複数の映像を切り替えて、順次、前記表示手段の一部に表示することを特徴とする録画番組選択支援方法。
【請求項１０】
前記請求項７に記載の方法において、前記抽出された推薦放送番組の音声をも出力することを特徴とする録画番組選択支援方法。
【請求項１１】
前記請求項７に記載の方法において、前記表示手段上に表示している放送番組と同じ時間帯で放送されている他の放送番組の映像をも含め、当該表示手段上に、推薦番組として表示することを特徴とする録画番組選択支援方法。
【請求項１２】
前記請求項１１に記載の方法において、更に、前記表示手段上に表示している放送番組と同じ時間帯で放送されている他の放送番組についての録画の要否を問い合わせる表示を行なうことを特徴とする録画番組選択支援方法。
【発明の詳細な説明】
【技術分野】
【０００１】
本発明は、デジタル方式やアナログ方式を含めた放送により放送された番組から放送番組を選択・記録・再生することを支援する技術に係り、特に、視聴者の嗜好傾向を把握して放送番組を好適に表示する放送受信装置及びその録画番組選択支援方法に関する。
【背景技術】
【０００２】
近年、従来からのアナログ方式のテレビジョン放送に加え、放送衛星、通信衛星などによる放送、更には、地上波による放送おいても、デジタル方式のテレビジョン放送が普及しつつあり、一般の家庭においても、各種の放送を受信するためシステムが普及してきている。かかるシステムにおいては、従来のアナログ放送だけの場合に比較し、多数のチャネルを確保することが可能であることから、極めて多くの数の番組が放送され、同時に、かかる多数の放送番組を受信するための各種ＡＶ装置が次々と製品化されてきている。特に、放送受信装置であるテレビジョン受信機は、近年、その薄型化と共に、例えば、プラズマディスプレイを採用したプラズマテレビや液晶をディスプレイとした液晶テレビなどに代表されるように、表示画面の大画面化が著しい。また同時に、かかる多数の放送番組を記録・再生するため、例えば、デジタルＶＴＲやディスクレコーダ等の各種ＡＶ装置が製品化されており、最近では、例えば、ハードディスクドライブ（ＨＤＤ）等の大容量の情報記録媒体を内蔵し、もって、多数のチャネルを受信し、このＨＤＤを用いて映像・音声ストリームデータを記録・再生することが可能な、所謂、ＨＤＤレコーダと呼ばれるストリーム記録再生装置が実現されてきている。
【０００３】
これに伴い、一方、多数の放送番組から所望の番組を選択して視聴し、又は、録画するための方法として、これまでの新聞などのテレビ番組表から番組を選択して視聴する方法以外に、放送に多重されるＥＰＧ（Electronic Program Guide）情報からテレビ画面上にＯＳＤ（On Screen Display）表示により番組表（以下、「ＥＰＧ」と称す）を表示し、そのＥＰＧから選択する方法も採用されており、広く利用されるようになっている。これによれば、新聞や雑誌などの従来のメディアを用いず、テレビジョン受像機（放送受信装置）のみで番組を選択したり、又は、録画のための予約登録を行ったりすることが可能となっている。なお、これに関連し、例えば、以下の特許文献１や２に示されるように、テレビジョン放送に加えて番組関連情報をも同時に伝送し、これをテレビジョン受信機の表示画面上に表示し、リモートコントローラ（以下、「リモコン」）の操作により、簡単に、視聴したい番組を選択することが可能な各種の技術が種々提案され、また、実用化されている。
【０００４】
しかしながら、放送受信装置では、上述したように、デジタル方式のテレビジョン放送の普及によって極めて多くの数の番組が受信可能であることから、従来のＥＰＧで認識できる番組表示数には限りがあるため、好みの番組を探し出すことが困難になっている。
【０００５】
そこで、かかる問題点を解決する手法として、例えば、以下の特許文献３によれば、視聴した番組のＥＰＧ情報を基にして視聴者の視聴傾向を分析し、即ち、視聴傾向が高いと判断されたジャンルの番組や特定の出演者が出演している番組を、上記ＥＰＧ情報内の放送予定番組から探し出してこれを提示し、又は、予約録画する装置が既に知られている。また、ネットワークを利用して、より多くの機器から興味データを抽出して、よりユーザの興味に近い番組を推薦することを可能にする技術が、以下の特許文献４により既に知られている。
【０００６】
更には、分析した視聴傾向を、ジャンルなどの分類によってレーダーチャート表示などを行い、気分転換などの場合に、表示された視聴傾向とは異なる番組を検索できる装置が、以下の特許文献５に記載されている。
【０００７】
【特許文献１】特許第３６０１１８１号公報
【特許文献２】特開平１０−２９４９０４号公報
【特許文献３】特開２０００−１３７０８号公報
【特許文献４】特開２００４−３５５０７７号公報
【特許文献５】特開２００４−３５５４２９号公報
【発明の開示】
【発明が解決しようとする課題】
【０００８】
即ち、上記の従来技術では、放送が予定されている番組の関連情報であるＥＰＧを利用したものであり、また、ユーザに推薦される番組についても、実際の放送内容のように映像や音声を伴うものではなく、そのため、上述した視聴者の視聴傾向の分析にもかかわらず、ユーザの嗜好に適合しないこととなることもしばしばであり、その結果、折角、録画したにもかかわらず、視聴されずに消去される放送も多かった。即ち、特に録画する程の番組でない場合にも自動的に録画されてしまうという問題点があった。
【０００９】
加えて、上記の従来技術では、ユーザがある番組を視聴中に、当該放送以外の放送である裏番組で好みの番組が放送されているか否かについての把握をすることは出来なかった。例えば、テレビガイドをチェックせずにテレビをつけて、たまたま、ニュースを見ていたユーザは、その裏番組で好きな俳優等が出演しているドラマが放送されていたとしても、これを見逃してしまう（録画が出来ない）こととなる。即ち、これでは、番組の推薦機能にもかかわらず、未だ、その使い勝手に問題点があった。
【００１０】
そこで、本発明は、上述した従来技術における問題点に鑑みて成されたものであり、即ち、録画機能（録画装置を外部に備えたものをも含む）を備えると共に、放送番組と共に放送予定の番組情報を含む番組関連情報を受信して、ユーザに対し、推薦番組を抽出して提示する機能を備えた放送受信装置であって、録画すべき番組の画像を実際に視聴可能させることにより、より使い勝手に優れた放送受信装置を提供すると共に、そのための録画番組選択支援方法を提供することを目的とする。
【課題を解決するための手段】
【００１１】
上記の目的を達成するため、本発明によれば、まず、放送番組と共に放送予定の番組情報を含む番組関連情報を受信する受信部と、ユーザの視聴操作指示とユーザの好む番組を示す嗜好情報を入力するための手段と、前記入力手段からの視聴操作指示に従って、前記受信部で受信した放送番組を表示するための表示部と、前記入力手段から入力されたユーザ番組嗜好情報を基に、前記受信手段により受信された番組関連情報から推薦番組を抽出する手段と、
前記受信部で受信した放送番組を記録する放送番組記録部とを備えており、前記抽出手段により抽出された推薦番組の放送の少なくとも映像を、前記表示手段上に表示している放送番組の一部に表示する放送受信装置が提供される。
【００１２】
なお、本発明では、前記の装置において、前記抽出手段により抽出された推薦番組の放送の音声も前記表示手段によって出力することも可能であり、又は、前記受信部は、複数のチューナを備えて構成されてもよい。加えて、前記表示手段上に表示している放送番組と同じ時間帯で放送されている他の放送番組の映像をも含め、当該表示手段上に、推薦番組として表示することが好ましい。
【００１３】
加えて、本発明によれば、上記の目的を達成するため、放送番組と共に放送予定の番組情報を含む番組関連情報を受信する受信部と、ユーザの視聴操作指示とユーザの好む番組を示す嗜好情報を入力するための手段と、前記入力手段からの視聴操作指示に従って、前記受信部で受信した放送番組を表示する映像信号を含む信号を出力する出力部と、前記入力手段から入力されたユーザ番組嗜好情報を基に、前記受信手段により受信された番組関連情報から推薦番組を抽出する手段と、前記受信部で受信した放送番組を記録する放送番組記録部とを備えており、前記抽出手段により抽出された推薦番組の放送の少なくとも映像信号を、前記出力部を介して出力する放送受信装置が、又は、放送番組と共に放送予定の番組情報を含む番組関連情報を受信する受信部と、ユーザの視聴操作指示とユーザの好む番組を示す嗜好情報を入力するための手段と、前記入力手段からの視聴操作指示に従って、前記受信部で受信した放送番組を表示する映像信号を含む信号を出力する出力部と、前記入力手段から入力されたユーザ番組嗜好情報を基に、前記受信手段により受信された番組関連情報から推薦番組を抽出する手段と、前記受信部で受信した放送番組を記録する放送番組記録部とを備えており、前記抽出手段により抽出された推薦番組の放送の少なくとも映像信号を、前記出力部を介して出力する放送受信装置が提供される。
【００１４】
また、本発明によれば、やはり上述した目的を達成するため、受信した放送番組を録画可能な放送受信装置において、録画すべき録画番組を選択して表示する支援方法であって、放送番組と共に放送予定の番組情報を含む番組関連情報を受信し、入力されたユーザの好む番組を示す嗜好情報を基に、受信した番組関連情報から録画を推薦する放送番組を抽出し、前記抽出した推薦番組の放送の少なくとも映像を、受信中の放送番組と同時に、表示手段の一部に表示する録画番組選択支援方法が提供される。
【００１５】
なお、本発明では、前記の方法において、前記抽出された推薦放送番組の複数の映像を、受信中の放送番組と同時に、前記表示手段の一部に表示することも可能であり、又は、前記抽出された推薦放送番組の複数の映像を切り替えて、順次、前記表示手段の一部に表示することも可能である。
【００１６】
また、本発明では、前記の方法において、前記抽出された推薦放送番組の音声をも出力することも可能であり、更には、前記表示手段上に表示している放送番組と同じ時間帯で放送されている他の放送番組の映像をも含め、当該表示手段上に、推薦番組として表示することが可能であり、そして、その場合には、更に、前記表示手段上に表示している放送番組と同じ時間帯で放送されている他の放送番組についての録画の要否を問い合わせる表示を行なうことが好ましい。
【発明の効果】
【００１７】
上記したように、本発明になる放送受信装置及びそのための録画番組選択支援方法によれば、ユーザに対し、録画の推薦番組を抽出して提示する機能を備えた放送受信装置であって、録画すべき番組の画像を実際に視聴可能させることにより、より使い勝手に優れた放送受信装置を提供すると共に、そのための録画番組選択支援方法を提供することを可能とすると言う、実用的に優れた効果を発揮する。
【発明を実施するための最良の形態】
【００１８】
以下、本発明の実施の形態について、添付の図面を用いながら詳細に説明する。
【００１９】
まず、添付の図１は、本発明の一実施の形態になる放送受信装置を示しており、図の符号１０は、モニター装置を示しており、例えば、プラズマディスプレイパネルや液晶ディスプレイパネルなど、所謂、フラットパネルディスプレイ（ＦＰＤ）からなり、その表面に映像を大画面で表示する表示画面１１と共に、当該表示画面１１の両側に音声を出力するための、所謂、一対のスピーカ１２、１２を備えている。また、図中の符号２０は、デジタル及びアナログ放送を受信して、その放送内容（映像・音声による番組、データ放送による番組、データ放送によるデータを含む）を上記モニター装置１０上に表示するコントロールボックス（又は、チューナ部）を示している。なお、このコントロールボックス２０は、例えば、図に符号３０で示すリモコン（リモートコントローラ）によって入力されるユーザの嗜好に関する情報に基づいて、録画すべき放送番組を抽出して提示すると共に、その内部に情報記録装置を内蔵しており、録画すべき放送番組をその内部に記録することが可能となっている。
【００２０】
なお、図１（Ａ）に示す形態では、上記フラットパネルディスプレイ（ＦＰＤ）１０とコントロールボックス２０とが、それぞれ、別体として構成されており（分離型）、一方、図１（Ｂ）には、これらフラットパネルディスプレイ（ＦＰＤ）１０とコントロールボックス２０を一体に（例えば、コントロールボックス２０をフラットパネルディスプレイ（ＦＰＤ）１０の背面、又は、その脚部に搭載）した形態（一体型）を示している。また、更に図１（Ｃ）には、コントロールボックス２０だけからなる形態を示しており、かかる場合には、その外部装置としてモニターが取り付けられることとなる。
【００２１】
続いて、添付の図２は、上記コントロールボックス２０の内部構造を示しており、この図からも明らかなように、デジタル及びアナログ放送を受信するための複数（本例では２個）のチューナ２０１、２０２を備えると共に、更に、上記リモコン３０からの制御信号（赤外線信号）を受信（受光）するリモコン受光部２０３を、コントロールボックスの前面のパネル上に備えている。なお、これらの複数のチューナ２０１、２０２によれば、その一方（例えば、チューナ２０１）は、上記モニター装置１０上に表示されるチャネルの視聴番組を受信すると共に、他方（例えば、チューナ２０１）により、当該放送と同じ時間帯における他のチャネルの番組（裏番組）をも、同時に受信することが可能となっている。
【００２２】
また、このコントロールボックス２０では、前記チューナ２０１で復調されてからの放送信号（視聴番組）は、その一部が画像確認部２０４を構成する映像特徴検出部２０５へ入力されると共に、映像表示切換え処理部２０６を介して、上記別体型の又は一体型の、或いは、外部装置としてのモニター装置１０へ出力される。一方、上記チューナ２０２で復調されたからの放送信号（裏番組）は、更にその詳細は後に説明するが、図に示すように、その内部にＥＰＧデータ生成部２０７、視聴履歴処理部２０８、嗜好分析部２０９等を備えた推奨番組情報生成部２１０へ入力されると共に、切替スイッチ２１１を介して、例えば、大容量のハードディスク（ＨＤＤ）からなり、装置の内部に設けられた録画再生装置２１２へ出力される、又は、上記の切替スイッチ２１１に加え、他の切替スイッチ２１３を介して、更には上述した映像表示切換え処理部２０６を介して、上記モニター装置１０上へも出力可能となっている。なお、この録画再生装置２１２は、上述した大容量のハードディスク（ＨＤＤ）だけに限らず、これに代えて、例えば、ＨＤＤ、ブルーレイディスク装置、ＤＶＤ装置などによって構成することも可能である。或いは、この録画再生装置２１２は、装置の内部に限らず、当該装置の外部に、外付け装置として設けること出来る。なお、この場合には、図示しない外部出力端子を介して出力されることとなる。
【００２３】
加えて、このコントロールボックス２０には、マイコン（マイクロコンピュータ）２１４から構成される制御部が設けられている。このマイコン２１４には、図にも示すように、少なくとも、上記リモコン受光部２０３及び画像確認部２０４の映像特徴検出部２０５からの信号が入力されると共に、その制御信号は、少なくとも、上記複数のチューナ２０１、２０２、上記切替スイッチ２１１、２１３、上記映像表示切換え処理部２０６、更には、上記録画再生装置２１２へ出力されている。即ち、このマイコン２１４は、上記複数のチューナ２０１、２０２の選局を含む動作を制御し、上記切替スイッチ２１１、２１３の切替え動作を制御する。また、このマイコン２１４は、上記映像表示切換え処理部２０６を介して、例えば、上記チューナ２０２で受信された裏番組などを、子画面として上記モニター装置１０上へ表示する位置を制御する。更には、このマイコン２１４は、上記録画再生装置２１２の記録／再生動作をも制御する。
【００２４】
次に、上記に説明した推奨番組情報生成部２１０の詳細構造について、添付の図３のブロック図を参照して説明する。
【００２５】
この図３において、符号１０１はユーザ操作取得部であり、上記リモコン３０などによるユーザの操作情報を取得して処理を行う。ＥＰＧ情報取得部１０２では、例えば、デジタル放送では、放送番組に多重されて送られてくる一週間分の番組情報から、当該情報に含まれる番組名、ジャンル、出演者などの番組情報を取得する。なお、このＥＰＧ情報は、上記に代え、インターネットを利用して取得するようにしてもよい。視聴履歴処理部１０３は、上記ユーザ操作取得部１０１で取得した番組視聴操作と、上記ＥＰＧ情報取得部１０２で取得した番組情報とを基に、視聴実時間のデータと共に、その視聴番組の番組名、チャンネル、ジャンル、出演者名や名詞などのキーワード、即ち、番組の特徴を表す番組特徴情報を抽出する。
【００２６】
次に、嗜好分析処理部１０４では、上記視聴履歴処理部１０３で抽出した視聴実時間及び番組特徴情報と、例えば、嗜好情報保持部１０５で保持しているこれまでの嗜好傾向から抽出した嗜好情報とを用いて、ユーザがよく視聴する嗜好傾向の高い番組特徴情報を判定・抽出し、その抽出した番組特徴情報のジャンルやキーワードなどについての嗜好度（ユーザの好みの度合い）を分析する。そして、ジャンルやキーワードなどと共に、これに対応付けた嗜好度とから構成される嗜好情報を生成する。この嗜好分析処理部１０４における上記嗜好分析の処理には、例えばファジィ理論（ファジィ推論）を用いて、例えば、ある番組を最初から最後まで視聴したか、ある番組を全体時間の中のどの程度まで視聴したか、或いは、番組の視聴途中で選局が切り替えられた番組であるかなど、種々の情報を加味して、その番組の番組特徴情報と、この番組特徴情報を含む過去の嗜好情報がある場合には当該過去の嗜好情報とによって、新たな嗜好情報を生成する。なお、この嗜好分析処理部１０４において嗜好分析の処理に用いる入力ファクターは、上記以外にも、他の任意のものを用いることが可能であり、また、この嗜好分析処理部１０４が処理に用いる手法としては、上述したファジィ理論以外にも、例えば、ニューラルネットワーク理論、遺伝的アルゴリズム、カオス理論、学習理論などを用いることも可能である。また、この図において、符号１０５は嗜好情報保持部であり、上記嗜好分析処理部１０４で分析・生成した嗜好情報を、更新・保持し、或いは、新たに保持する。
【００２７】
更に、図中の符号１０６は推奨番組抽出部であり、上記嗜好分析処理部１０４からの嗜好情報を用いて、嗜好度の高い情報（例えば、ジャンルやキーワードなどの情報）と番組特徴情報とが合致する番組を、上記ＥＰＧ情報取得部１０２で取得した番組情報から抽出し、その合致した番組を、推奨番組として推奨番組録画部１０７に渡す。そして、この推奨番組録画部１０７は、上記推奨番組抽出部１０６から渡された番組情報から、該当する番組の映像信号及び音声信号を、原則的に全て、自動的に、例えば、装置内に設けられた録画再生装置２１２である大容量のハードディスク（ＨＤＤ）に録画する。但し、例えば、ユーザが予約録画した番組の放送時間帯と、推薦番組とされた番組の放送時間帯とが重なる場合には、ここでは図示せぬユーザ予約番組録画部による予約録画の実行を優先させることも可能である。なお、この録画再生装置２１２における映像信号の記録では、例えば、ＭＰＥＧエンコーダやＭＰＥＧデコーダを用い、デジタル信号として圧縮することが好ましい。
【００２８】
また、図中の符号１０８は、録画した番組を、例えば、一覧（リスト）などの形式で提示する録画番組提示部であり、当該録画された番組の映像と共に、例えば、録画日時、チャンネル、番組名などを提示すると同時に、推奨理由となる、嗜好情報としてのジャンルやキーワードなどをも同時に提示する。そして、図中の符号１１０はシステム制御部を示しており、図示をしない他のデジタル放送受信処理系なども含め、録画再生装置の各部を制御するものであり、上記図２に示したマイコン２１４と共用してもよい。
【００２９】
次に、上記に詳細構造を示した推奨番組情報生成部２１０の動作について、以下に説明する。まず、ユーザ操作取得部１０１は、リモコンなどでユーザが行った選局やＥＰＧ表示などの操作情報を取得する。この取得した操作情報が選局などの番組視聴に関する場合には、ユーザ操作取得部１０１は、その操作情報を視聴履歴処理部１０３へ通知する。また、ＥＰＧ情報取得部１０２は、例えばデジタル放送の場合、番組内容に多重されているＥＰＧ情報を放送波から取得する。このＥＰＧ情報には、番組毎に開始時間や番組の長さ、番組名、番組内容説明、出演者名、ジャンルなどが含まれており、チャンネル毎に、当日を含めて８日先までの情報が含まれている
【００３０】
視聴履歴処理部１０３は、ユーザ操作取得部１０１からの番組視聴に関する操作情報を受け、その視聴している番組の番組情報を、ＥＰＧ情報取得部１０２より取得する。視聴履歴処理部１０３は、取得した番組の番組名、ジャンル、番組名や番組内容説明に含まれる出演者名や名詞などのキーワードと、その番組の視聴実時間とからなる、所謂、視聴履歴情報を作成し、これを嗜好分析処理部１０４へ通知する。
【００３１】
この嗜好分析処理部１０４は、視聴履歴処理部１０３から通知された視聴履歴情報（ジャンルやキーワードなどの番組特徴情報、及び、視聴実時間）と、嗜好情報保持部１０５で保持しているこれまでの嗜好傾向から抽出した嗜好情報とを用い、抽出された番組特徴情報中のジャンルやキーワードなどについての嗜好度（ユーザの好みの度合い）を分析し、どのようなジャンルやキーワードの番組をよく視聴しているかなど、ユーザの視聴の嗜好傾向について分析する。このように、過去の嗜好度を反映しつつ、新たな視聴履歴からジャンルやキーワードなどについての嗜好度を分析し、分析結果から、ジャンルやキーワードなどについての新たな嗜好度を算出して、ジャンルやキーワードなどと共に、これに対応付けた嗜好度とからなる、新たな嗜好情報を生成する。
【００３２】
なお、この新たな嗜好情報は、嗜好情報保持部１０５へ通知され、当該嗜好情報保持部１０５は、嗜好分析処理部１０４から通知された嗜好情報を更新／保持し、又は、新たに保持する。また、嗜好分析処理部１０４は、嗜好度の高い嗜好情報のジャンルやキーワードなどの情報を、推奨番組抽出部１０６へ通知する。
【００３３】
また、推奨番組抽出部１０６は、嗜好分析処理部１０４から通知されたユーザが好む嗜好情報を基にして、ＥＰＧ情報取得部１０２で取得した番組情報の中から、そのユーザが好む嗜好度の高い情報（ジャンルやキーワードなどの情報）に合致する番組を検索し、推薦番組として推奨番組録画部１０７へ通知する。
【００３４】
この推奨番組録画部１０７では、通知された番組を予約録画すると同時に、その推奨情報としての嗜好情報（ジャンルやキーワードなどの情報）をも含め、番組に関連付けて記録を行なう。なお、この通知された番組の予約録画の際には、その映像信号及び音声信号を含めて、記録を行なう。その後、録画番組提示部１０８は、推奨番組録画部１０７で録画された番組を、上記モニタ装置１０上に、少なくともその映像により、又は、その一部に文字情報を含めて表示する。
【００３５】
続いて、上記に構成を説明した放送受信装置において、即ち、そのモニター装置である、例えば、プラズマディスプレイパネルや液晶ディスプレイパネルなどの大画面上に、上記推奨番組録画部１０７で録画された番組を表示する形態について、以下に説明する。
【００３６】
まず、添付の図４では、モニター装置１０の表示画面（主画面）１１上には、現在受信中の放送番組（視聴番組）と共に、その一部（本例では、画面の右下角部）に、上記推奨番組録画部１０７で録画された番組、即ち、推薦番組の映像５０を表示している。かかる推薦番組の表示形態によれば、録画すべき番組の映像を、実際に、映像５０として確認することが出来る。これによって、ユーザは、推薦された番組が具体的にどのような番組であるのかを認知でき、録画して視聴したい番組であるか否かを、容易かつ確実に判断することが可能となる。なお、かかる推薦番組の映像５０の表示は、上記に代えて、表示画面１１上の他の部分、例えば、画面の左下角部、右上角部（図５を参照）、左上角部であってもよい。加えて、この場合、例えば、通常の画像処理によって、主画面１１上に表示される画面の背景部分を検出し、当該部分に推薦番組の映像５０を表示することも可能である。例えば、肌色の部分を避けることにより、主画面１１上に表示されている人物の顔の部分を避けて、推薦番組の映像５０を表示することが可能になる。又は、例えば、黒などの明度の低い部分を選択して表示することも可能である。又は、添付の図６にも示すように、表示画面１１を二等分して、一方に主画面を表示すると共に、他方に、推薦番組の映像５０を表示することも可能である。
【００３７】
次に、添付の図５には、上記の推薦番組の映像５０と共に、録画日時やチャネル番号、更には、番組名や出演俳優など、番組に関連付けて記録されている文字情報と共に所定の枠５１内に表示することも可能である。なお、かかる表示形態によれば、録画番組を一覧提示する場合、録画日時やチャンネルや番組名だけでなく、関連付けて記録されている番組を予約したときの推奨情報となった、ジャンルやキーワードなどと言った嗜好情報をも同時に提示することが出来ることから、やはり、ユーザは、推薦された情報が何であったかを認知でき、視聴したい番組であるか否かを、容易に判断することが可能となる。
【００３８】
また、上記推薦番組の映像５０が複数存在する場合における当該番組の表示の形態について、添付の図７及び図８に示す。
【００３９】
即ち、図７では、モニター装置１０の表示画面（主画面）１１上の右端に複数の枠を設けて、その内部に当該複数の推薦番組の映像５０、５０…を表示するものである。なお、これら複数の推薦番組の映像５０、５０…を表示する枠は、上記の他、例えば、表示画面（主画面）１１の左端に、又は、その上下端に設けることも可能である。
【００４０】
一方、図８に示す形態では、モニター装置１０の表示画面（主画面）１１上の右下角部に、例えば、円柱５０’（又は、多角柱でもよい）を表示し、その表面（前面）に、当該複数の推薦番組の映像…を、順次、例えば、矢印方向にスクロール（図の矢印を参照）しながら表示するものである。なお、これによれば、複数の推薦番組の映像にもかかわらず、ただ１個の円柱（又は、多角柱）を表示画面（主画面）１１上に表示するだけでよく、そのため、複数の推薦番組の映像が主画面の邪魔になることはない。特に、推薦番組の映像が多数存在する場合に好適な手法であろう。また、上記推薦番組の映像のスクロールは、手動（例えば、リモコン３０のスクロールキーを利用）、又は、自動（所定の時間毎に矢印方向に回転）でもよい。更には、複数の推薦番組を、ランク付けし、当該ランキング（例えば、第１位、第２位、第３位…の順）によって、その映像を、順次、表示してもよい。更に、上記の円柱又は多角柱は、図示のようにその軸方向を縦に、又は、図示しないが横方向に配置してもよい。加えて、これら円柱又は多角柱に代えて、球体の表面に表示してもよい。
【００４１】
なお、上記の説明では、推薦番組は、その映像を上記モニター装置１０の表示画面１１上に表示されるものとして説明したが、本発明では、これに限定されることなく、例えば、推薦番組は、その映像と共に、その音声についても、上記モニター装置１０を構成するスピーカ１２、１２を介して出力するようにしても良い。なお、その場合、その音量を、主画面の音声よりも小さく設定することが好ましいであろう。
【００４２】
また、上記の説明では、上記図２に示すように、本発明の放送受信装置を構成する上記コントロールボックス２０の内部には、複数（本例では２個）のチューナ２０１、２０２を備えるものとして説明した。しかしながら、これに限定されず、これらチューナを２個以上設けることは当然、更には、１個のチューナを設けるだけの構成とすることも可能である。特に、１個のチューナだけを設ける場合には、複数放送される番組を、高速に切り替えることによって動画を表示したり、画像をメモリに記憶し静止画を切り換えて表示することによって、上述した表示画面（主画面）１１上での推薦番組の映像５０、５０…の表示を実現することができる。
【００４３】
ところで、以上の詳細な説明では、上述したように、モニター装置１０の表示画面（主画面）１１上に表示される推薦番組の映像５０は、予め、上記で説明した推奨番組情報生成部２１０により選択・抽出され、そして、装置内に設けられた録画再生装置２１２である大容量のハードディスク（ＨＤＤ）に録画されているものとして説明した。しかしながら、既述したように、従来技術では、例えば、モニター装置１０にある放送番組を表示している際には、当該放送以外の放送である、所謂、裏番組については、その映像内容について把握することは出来ず、そのため、使い勝手が悪いという問題点があった。
【００４４】
そこで、本発明では、かかる問題点をも解消するため、特に、裏番組については、以下に説明する方法により推薦番組として表示する。これによれば、例えば、テレビガイドをチェックせずにテレビをつけて、たまたま、ニュースを見ていたユーザは、その裏番組で好きな俳優等が出演しているドラマが放送されていたとしても、これを見逃してしまう（録画が出来ない）ことがない。
【００４５】
なお、上記の詳細な説明からも明らかなように、本発明になる放送受信装置では、モニター装置１０がオフである場合には、推奨番組情報生成部２１０により選択・抽出された推薦番組は、装置内に設けられた録画再生装置２１２である大容量のハードディスク（ＨＤＤ）に録画される。しかしながら、モニター装置１０がオン（即ち、ユーザが視聴中）である場合にも、推奨番組情報生成部２１０により推薦番組が選択・抽出される場合が生じる。
【００４６】
そこで、上記図２のコントロールボックス２０では、その制御部を構成するマイコン２１４により、推奨番組情報生成部２１０により選択・抽出された推薦番組を、上記録画再生装置２１２である大容量のハードディスク（ＨＤＤ）に録画すると同時に、添付の図９にも示す処理を実行する。即ち、推奨番組情報生成部２１０により推薦番組が選択・抽出されると処理を開始し、まず、モニター装置１０がオン又はオフの何れの状態であるかを判定する（Ｓ９１）。その結果、モニター装置１０がオフ状態である場合は、放送受信装置ではユーザは放送を視聴していないと判断し、自動的に、当該推薦番組の映像及び音声を、上記大容量のハードディスク（ＨＤＤ）に記録し（Ｓ９２）、処理を終了する。
【００４７】
一方、上記判定処理（Ｓ９１）において、モニター装置１０がオン状態であると判定された場合には、ユーザは当該放送受信装置で放送番組を視聴中であると判定し、当該推薦番組の映像を、上記モニター装置１０の表示画面（主画面）１１の一部に表示する（Ｓ９３）。なお、この時、当該推薦番組の映像及び音声の記録を上記大容量のハードディスク（ＨＤＤ）に開始すると共に、例えば、添付の図１０に示すような問合表示も同時に行なう。即ち、これにより、裏番組の中に推薦番組があった場合には、ユーザは、確実に、映像によってその内容を確認することが可能にある。
【００４８】
続いて、上記モニター装置１０上に表示した推薦番組を録画するか否かの判定を実行する（Ｓ９４）。即ち、これにより、当該裏番組の映像によりその内容を確認した結果、録画が必要と判定した場合には、ユーザは、上記図１０の問合表示において、「録画する」を選択し、他方、録画は不要と判定した場合には、「録画しない」を選択することとなる。なお、この録画の必要又は不要の判定は、例えば、カーソル（矢印）を画面上に表示すると共に、その位置を上記リモコン３０を使用して移動可能とすることにより、ユーザが選択可能とすることが出来る。そして、上記判定（Ｓ９４）の結果、録画する（「YES」）と判定された場合には、上記大容量のハードディスク（ＨＤＤ）への記録動作を継続し、当該裏番組の映像及び音声の記録を完了する（Ｓ９５）。他方、録画しない（「NO」）と判定された場合には、当該裏番組の映像及び音声の記録を中止し（Ｓ９６）、一連の処理を終了する。
【００４９】
なお、上記の説明では、上記放送受信装置のコントロールボックス（又は、チューナ部）２０は、録画すべき放送番組を、その内部に内蔵した大容量のハードディスク（ＨＤＤ）により構成される情報記録装置２１２により、番組の記録するものとして説明したが、本発明では、これに限定されることなく、例えば、上記情報記録装置を当該装置の外部に取り付けるものでもよい。
【図面の簡単な説明】
【００５０】
【図１】本発明の一実施の形態になる放送受信装置の全体構成を示す斜視図である。
【図２】上記放送受信装置を構成するコントロールボックスの内部構成の一例を示すブロック図である。
【図３】上記コントロールボックスにおける推奨番組情報生成部の詳細構造を示すブロック図である。
【図４】上記放送受信装置において、そのモニター装置上に表示される推薦番組の表示形態の一例を示す図である。
【図５】上記放送受信装置において、そのモニター装置上に表示される推薦番組の表示形態の他の例を示す図である。
【図６】上記放送受信装置において、そのモニター装置上に表示される推薦番組の表示形態の更に他の例を示す図である。
【図７】上記放送受信装置において、複数の推薦番組をモニター装置上に表示する表示形態の一例を示す図である。
【図８】上記放送受信装置において、複数の推薦番組をモニター装置上に表示する表示形態の他の例を示す図である。
【図９】上記放送受信装置において、裏番組についての推薦番組表示を実現する処理を示すフローチャート図である。
【図１０】上記図９に示す処理で表示される問合表示の一例を示す図である。
【符号の説明】
【００５１】
１０…モニター装置
１１…表示画面
１２…スピーカ
２０…コントロールボックス（又は、チューナ部）
３０…リモコン
２０１、２０２…チューナ
２０３…リモコン受光部
２０４…画像確認部
２０５…映像特徴検出部
２０６…映像表示切換え処理部
２０７…ＥＰＧデータ生成部
２０８…視聴履歴処理部
２０９…嗜好分析部
２１０…推奨番組情報生成部
２１２…録画再生装置
２１４…マイコン（マイクロコンピュータ）
【図１】
2007158998.tif 000003
【図２】
2007158998.tif 000004
【図３】
2007158998.tif 000005
【図４】
2007158998.tif 000006
【図５】
2007158998.tif 000007
【図６】
2007158998.tif 000008
【図７】
2007158998.tif 000009
【図８】
2007158998.tif 000010
【図９】
2007158998.tif 000011
【図１０】
2007158998.tif 000012
【手続補正書】
【提出日】平成18年7月3日(2006.7.3)
【手続補正１】
【補正対象書類名】図面
【補正対象項目名】全図
【補正方法】変更
【補正の内容】
【図１】
2007158998.tif 000013
【図２】
2007158998.tif 000014
【図３】
2007158998.tif 000015
【図４】
2007158998.tif 000016
【図５】
2007158998.tif 000017
【図６】
2007158998.tif 000018
【図７】
2007158998.tif 000019
【図８】
2007158998.tif 000020
【図９】
2007158998.tif 000021
【図１０】
2007158998.tif 000022